(57)【要約】【課題】本発明は、表示面自体を回転させることが可能な映像表示装置の提供を目的とする。【解決手段】本発明に係る映像表示装置１００は、表示面を有する映像表示部１１３と、映像表示部を表示面に平行な面内で回転させる自動回転装置１１６と、自動回転装置１１６による映像表示部１１３の回転を制御する回転制御部１０６と、を備える。【選択図】図１
2015207891.tif 000002
【特許請求の範囲】
【請求項１】
表示面を有する映像表示部と、
前記映像表示部を前記表示面に平行な面内で回転させる回転装置と、
前記回転装置による前記映像表示部の回転を制御する回転制御部と、
を備える、
映像表示装置。
【請求項２】
前記映像表示部で表示するための画像又は動画データを取得するデータ取得部と、
前記画像又は動画データにおける画像方向を検出する方向検出部と、をさらに備え、
前記回転制御部は、前記画像方向に応じて前記映像表示部の回転を制御する、
請求項１に記載の映像表示装置。
【請求項３】
前記データ取得部は、前記映像表示部で表示するための画像データを取得し、
前記方向検出部は、前記画像データのＥｘｉｆ（登録商標）情報から前記画像方向を検出する、
請求項２に記載の映像表示装置。
【請求項４】
前記画像方向を予め記憶する方向記憶部をさらに備え、
前記方向検出部は、前記方向記憶部に記憶された画像方向を前記画像又は動画データの画像方向として検出する、
請求項２又は３に記載の映像表示装置。
【請求項５】
前記映像表示部の映像表示を制御する映像制御部をさらに備え、
前記映像制御部は、前記回転装置が前記映像表示部で表示するための画像又は動画データの画像方向に応じて前記映像表示部の前記回転を完了した後、当該画像又は動画データを用いて前記映像表示部の映像表示を制御する、
請求項１から４のいずれかに記載の映像表示装置。
【請求項６】
前記回転装置及び前記回転制御部は、前記映像表示装置の他の構成要素とは独立に給電され、
前記回転制御部は、当該他の構成要素を電源オン又は電源オフした後、予め定めた姿勢に前記映像表示部を回転するよう前記回転装置を制御する、
請求項１から５のいずれかに記載の映像表示装置。
【発明の詳細な説明】
【技術分野】
【０００１】
この発明は、映像表示装置の姿勢を制御する技術に関する。
【背景技術】
【０００２】
近年、デジタルサイネージ(Digital Signage)と呼ばれる、映像表示装置を用いて広告を行うシステムが注目されている。デジタルサイネージは公衆の目に触れる場所に映像表示装置を設置し、静止画又は動画を長時間表示する事で、従来の紙や板による広告看板の代わりをするものであり、表示用デジタルデータを差換えるだけで表示内容を容易に変更できる手段を提供すると共に、印刷物では考えられない豊かな情報表示を行う事を目的としている。
【０００３】
デジタルサイネージには、建物の壁面全体を使う様な大型の表示装置から、自動販売機の小窓に表示される様な小型の表示装置まで含まれるが、近年増えているのは小売店の店頭や駅の構内などに液晶ディスプレイの様な映像表示装置を設置し、商業用途の広告や写真画像を表示するものである。表示内容は動画の場合もあるが、従来の広告看板の代替という点から静止画の場合が多い。特に、表示内容の変更が容易であるというデジタルサイネージの特徴を生かし、多数の静止画をスライドショーの様に次々と切り替えて表示することが行われている。
【０００４】
一方で、静止画の表示内容は写真画像やＰＣ（personal computer）で作成した画像又は文字が主となる。一般にデジタルカメラで撮影した写真画像は縦横比が１６：９程度であり、１：１ではない。すなわち、写真画像には方向がある。また、液晶ディスプレイ等の映像表示装置も一般に縦横比が１６：９程度である。なお、近年のデジタルカメラには、一般にＥｘｉｆ（登録商標、Ｅｘｉｆ：Exchangeable image file format）情報という撮影情報を画像データに付加する機能があり、撮影情報の一つとして撮影時のカメラの方向を記録できる様になっている。
【０００５】
この機能を利用し、Ｅｘｉｆ情報から判定したカメラの方向に応じて画像データを変換することにより、画像を正立方向に表示する事が広く行われている。横置き、すなわち横長の表示面を持つように設置された映像表示装置に写真画像を映す場合、横長に撮影された写真画像ならばほぼ画面一杯に表示される。しかし、縦長に撮影された写真画像を画面一杯に表示すると、９０度方向が傾いた状態で表示されてしまう為、画像データを変換する事で画像を正立方向に表示する。
【０００６】
その他、Ｅｘｉｆヘッダ情報を利用して、カメラの方向に応じたズーミング処理を行って、写真画像をより効果的に見せる方法が存在する（例えば、特許文献１参照）。
【先行技術文献】
【特許文献】
【０００７】
【特許文献１】特開２００５−１２６７４号公報
【発明の概要】
【発明が解決しようとする課題】
【０００８】
上記の通り、画像を回転させて表示する映像表示装置は従来から存在しているが、映像表示装置の表示面を、表示面に平行な面内で回転させるものは従来存在しなかった。
【０００９】
本発明は上述の問題に鑑み、表示面を表示面に平行な面内で回転させることが可能な映像表示装置の提供を目的とする。
【課題を解決するための手段】
【００１０】
本発明に係る映像表示装置は、表示面を有する映像表示部と、映像表示部を表示面に平行な面内で回転させる回転装置と、回転装置による映像表示部の回転を制御する回転制御部と、を備える。
【発明の効果】
【００１１】
本発明に係る映像表示装置は、表示面を有する映像表示部と、映像表示部を表示面に平行な面内で回転させる回転装置と、回転装置による映像表示部の回転を制御する回転制御部と、を備える。従って、表示面を表示面に平行な面内で回転させることが可能である。
【図面の簡単な説明】
【００１２】
【図１】本発明の実施の形態１に係る映像表示装置の構成を示すブロック図である。
【図２】本発明の映像表示装置の側面図である。
【図３】本発明の映像表示装置の正面図である。
【図４】本発明の映像表示装置の正面図である。
【図５】本発明の映像表示装置の映像表示部を示す図である。
【図６】本発明の映像表示装置の映像表示部を示す図である。
【発明を実施するための形態】
【００１３】
＜Ａ．実施の形態１＞
＜Ａ−１．構成、動作＞
図１は、本発明の実施の形態１に係る映像表示装置１００の構成を示すブロック図である。映像表示装置１００は、画像方向検出部１０５、回転制御部１０６、画像データ入力部１０７、ＡＶデコーダ１０８、グラフィックス重畳部１０９、映像制御部１１１、映像表示部１１３、効果音重畳部１１０、音声制御部１１２、音声出力部１１４、通信バス１１５及び自動回転装置１１６を備えている。画像方向記憶部１０４、画像方向検出部１０５、回転制御部１０６、画像データ入力部１０７、ＡＶデコーダ部１０８、グラフィックス重畳部１０９、映像制御部１１１及び映像表示部１１３は、通信バス１１５により接続されている。
【００１４】
なお、画像方向記憶部１０４は、半導体素子を用いたメモリ装置や、ＨＤＤ（Hard Disk Drive）等の記憶媒体で構成される。また、画像方向検出部１０５、回転制御部１０６、効果音重畳部１１０及び音声制御部１１２は、ＲＡＭ（Random Access Memory）やＲＯＭ（Read Only Memory）などのメモリに記憶されたプログラムを実行するＣＰＵ（Central Processing Unit）により実現する。また、グラフィックス重畳部１０９及び映像制御部１１１は、ＲＡＭなどのメモリに記憶されたプログラムを実行するＣＰＵ又はＧＰＵ（Graphic Processing Unit）により実現する。
【００１５】
映像表示装置１００は、例えば映像表示部１１３を液晶パネルとする液晶テレビ又は液晶ディスプレイである。画像データ入力部１０７は、以下、ＳＤカードスロットとして説明するが、ＵＳＢメモリやメモリスティック、ＵＳＢハードディスクといった別のストレージデバイスのインタフェースでもよい。また、画像データ入力部１０７がネットワーク入力部であり、ネットワークを介して画像データを取得する構成であっても良い。
【００１６】
画像データ入力部１０７に画像データ１１７の入ったＳＤカードが挿入されると、画像データ１１７はＡＶデコーダ１０８に送られ、映像信号と音声信号に分離して変換される。
【００１７】
ＡＶデコーダ１０８で変換された映像信号は、グラフィックス重畳部１０９、映像制御部１１１を経て映像表示部１１３で映像表示される。ＡＶデコーダ１０８で変換された音声信号は、効果音重畳部１１０、音声制御部１１２を経てスピーカ等の音声出力部１１４で音声出力される。
【００１８】
画像方向検出部１０５は、画像データ１１７にＥｘｉｆ（登録商標）情報が付加されていることを確認すると、Ｅｘｉｆ（登録商標）情報のタグの一つであるOrientationという画像情報を解析し、タグ値から画像方向を検出する。検出された画像方向情報は、画像方向記憶部１０４に記憶され、回転制御部１０６の制御情報として使用される。
【００１９】
一般的にＥｘｉｆ（登録商標）情報のOrientationは、デジタルカメラが内蔵する重力センサによって、画像を撮影したときのデジタルカメラの設置方向を検出することにより、画像情報の一部として付加されている。従って、Orientationは撮影方向を示している。デジタルカメラの撮像素子は横長に配置される事が多いため、一般的なデジタルカメラを正方向に構えて撮影した画像は横長の画像となる。この画像について、Orientation値は１と規定される。
【００２０】
デジタルカメラを時計方向に９０°傾けて撮影した場合、撮影した画像は初期状態（Orientation値が１）で左側に位置する短辺を上辺とする縦長の画像となる。このときのOrientation値は６と規定される。
【００２１】
また、デジタルカメラを反時計方向に９０°傾けて撮影した場合、撮影した画像は初期状態で右側に位置する短辺を上辺とする縦長の画像となる。このときのOrientation値は８と規定される。
【００２２】
また、デジタルカメラを１８０°傾けて撮影した場合、撮影した画像は初期状態で下側に位置する長辺を上辺とする横長の画像となる。このときのOrientation値は３と規定される。
【００２３】
図２は、映像表示装置１００の側面図であり、図３，４は、映像表示装置１００の正面図である。図３は、映像表示部１１３が標準設置方向で設置された状態を示し、図４は、映像表示部１１３が標準設置方向から時計方向に９０°回転した場合を示している。
【００２４】
図２から図４では、自動回転装置１１６を、映像表示装置１００のスタンド部分として構成した例を示している。自動回転装置１１６はモーターなどの動力を持ち、映像表示部１１３を表示面の面内方向に回転させる機構を図２に点線で示すＡ部に内蔵している。但し、自動回転装置１１６はこれに限らず、例えば+映像表示装置１００を壁掛けする部材によって構成しても良い。
【００２５】
図３に示すように、映像表示部１１３が標準設置方向として横長の方向に設置されており、画像データ入力部１０７に入力された画像データ１１７のOrientation値が６である場合、回転制御部１０６は、自動回転装置１１６に、映像表示部１１３を表示面の面内方向で時計方向に９０°回転させるように指示を出す。同様に、Orientation値が８であれば、映像表示部１１３を標準設置方向から反時計方向に９０°回転、Orientation値が３であれば、映像表示部１１３を標準設置方向から１８０°回転させるように、指示を出す。
【００２６】
図５は、Orientation値が１の画像データ１１７を映像表示部１１３で表示する際の動作を示している。映像表示部１１３が標準設置方向として横長の方向に設置されており、Orientation値が１の画像データ１１７を用いて表示を行う場合、回転制御部１０６は自動回転装置１１６に回転を指示しない。従って、映像表示部１１３は横長の状態を維持し、横長の画像が画面一杯に表示される。
【００２７】
図６は、Orientation値が６の画像データ１１７を映像表示部１１３で表示する際の動作を示している。映像表示部１１３が標準設置方向として横長の方向に設置されており、Orientation値が６の画像データを用いて表示を行う場合、回転制御部１０６は自動回転装置１１６に、映像表示部１１３を時計方向に９０°回転させるように指示を出す。その結果、映像表示部１１３は時計方向に９０°回転して縦長の状態になり、縦長の画像が画面一杯に表示される。
【００２８】
このように、横長の映像表示装置１００に横長の画像や縦長の画像、上下反転した画像など様々な方向の画像を表示する際に、画像方向に合わせて映像表示部１１３を回転させることによって、画像データ１１７を加工することなく、画像を常に正方向で画面一杯に表示することができる。
【００２９】
＜Ａ−２．変形例＞
実施の形態１では、画像データ１１７を横長の撮像素子を備えたデジタルカメラの画像データとし、映像表示装置の標準設置方向が横長方向であるという前提で、Ｅｘｉｆ（登録商標）情報のOrientation値を参照して画像方向を検出する方法を説明した。
【００３０】
しかし、デジタルカメラの撮像素子が縦長の場合もある。これに対しては、Orientation値を参照する際に、Ｅｘｉｆ（登録商標）情報に含まれる縦横の解像度情報を同時に参照することで、正方向で撮影した時の画像が横長か縦長かを判断する事ができる。
【００３１】
例えば、画像データ１１７のOrientation値が１で、かつ解像度情報が縦＞横であった場合、正方向が縦長の画像であると考えられる。そのため、Orientation値が１であっても、回転制御部１０６は映像表示部１１３を９０°回転するように自動回転装置１１６に指示すればよい。これにより、ユーザーは画像データを撮影したデジタルカメラが、正方向で横長又は縦長のいずれであるかに気を遣う必要がない。
【００３２】
また、画像データ１１７の画像を撮影したデジタルカメラが安価なものや発売時期の古いものである場合には、重力センサが内蔵されておらず、撮影方向の情報がorientation値として正しくＥｘｉｆ（登録商標）に含まれていないことがある。この場合には、画像方向記憶部１０４に当該画像データ１１７の画像方向を予め記憶しておくことで、画像データ１１７に応じた映像表示部１１３の自動回転が可能となる。
【００３３】
デジタルサイネージでは、予め決められた枚数及び内容の画像をスライドショーで切り替えて流す場合が多いので、表示すべき画像の方向を予め画像方向記憶部１０４に記憶させれば、画像データ１１７にＥｘｉｆ（登録商標）情報が含まれていなくとも、画像方向記憶部１０４を参照して画像方向を把握し、それに応じて映像表示部１１３を回転させることが出来る。
【００３４】
また、ここで、Ｅｘｉｆ（登録商標）情報に含まれるorientation値とは無関係な画像方向を画像方向記憶部１０４に記憶することで、広告効果を狙って意図的に、画像の正立方向とは異なる方向に映像表示部１１３を自動回転させる事もできる。
【００３５】
例えば、映像表示部１１３の回転角度の初期値を画像方向記憶部１０４が記憶しており、回転角度が一定時間ごとに９０°ずつ回転するような構成としても良い。このような場合、特に映像表示装置１００を複数台並べたときに、複数の映像表示部１１３を同期して回転させることができ、映像表示部１１３の回転動作そのものをデモンストレーションすることが出来る。
【００３６】
また、上記の説明では、映像表示部１１３で表示すべき画像データ１１７が画像データ入力部１０７に入力された後、画像データ１１７の画像方向を検出し、それに応じて映像表示部１１３を回転させることとした。しかし、画像データ１１７の再生終了や映像表示装置１００の電源オフ又は電源オンが映像表示部１１３を回転させるトリガとなってもよい。これによって、例えば広告用画像のスライドショーが終了した時点で映像表示部１１３を元の位置に戻したり、電源オフした際に元の位置に戻したり、電源オンした際に常に所定の位置からスタートする事ができる。なお、電源オフをトリガとする場合、映像鵜表示装置の回転制御部１０６及び自動回転装置１１６は、映像表示装置１００の他の構成要素とは独立に給電されているものとする。
【００３７】
また、映像表示部１１３で画像データを表示するタイミングは、自動回転装置１１６による映像表示部１１３の回転が完了した後であるほうが良い。
【００３８】
例えば、複数の画像データ１１７を順番にスライドショーとして再生する場合に、１枚目の画像が横長の画像で、２枚目の画像が縦長の画像であったとする。すると、１枚目の画像を再生した後２枚目の画像を再生する前に、映像表示部１１３を回転しなければならない。もし、映像表示部１１３が回転している間に２枚目の画像が再生されると、２枚目の画像は正立した状態で表示されず、表示品位に欠ける。そのため、映像制御部１１１は、自動回転装置１１６が映像表示部１１３を回転させている間は、映像表示部１１３において画像が非表示となるようにし、回転が完了してから２枚目の画像を表示するように制御する。このように、画像データ１１７の切替と自動回転を同期させることで、表示品位の向上を図る事ができる。
【００３９】
また、画像データ１１７をデジタルカメラの撮影画像データ（静止画データ）として説明を行ってきたが、画像データ１１７に代えて動画データを再生する場合にも本発明は適用可能である。動画データでは、画像データにおけるＥｘｉｆ（登録商標）情報の様な、規格化された画像方向に関する情報は無い。しかし、例えば動画データが横長及び縦長が混在した複数の動画コンテンツを含んでいたとしても、予め画像方向記憶部１０４に各動画コンテンツの画像方向を登録しておけば、自動回転表示を実施する事ができる。
【００４０】
＜Ａ−３．効果＞
本発明の実施の形態１に係る映像表示装置１００は、表示面を有する映像表示部１１３と、映像表示部を表示面に平行な面内で回転させる自動回転装置１１６と、自動回転装置１１６による映像表示部１１３の回転を制御する回転制御部１０６と、を備える。従って、映像表示部１１３が表示面に平行な面内で回転することが可能である。
【００４１】
また、映像表示装置１００は、映像表示部１１３で表示するための画像又は動画データを取得する画像データ入力部１０７（データ取得部）と、画像又は動画データにおける画像方向を検出する画像方向検出部１０５と、をさらに備え、回転制御部１０６は、画像方向に応じて映像表示部１１３の回転を制御する。従って、画像方向に応じて、画像又は動画が正立して映像表示部１１３に表示されるよう、映像表示部１１３を回転させることが可能である。
【００４２】
また、画像方向検出部１０５は、画像データのＥｘｉｆ（登録商標）情報から画像方向を検出しても良い。例えば、Ｅｘｉｆ（登録商標）情報は写真撮影時のデジタルカメラの設置方向を示すOrientation値を含んでいるので、Orientation値を参照することにより、画像方向を検出することができる。また、Ｅｘｉｆ（登録商標）は画像の縦横の解像度情報を含んでいるので、Orientation値に加えて解像度情報を参照することにより、縦長の撮像素子を有するデジタルカメラの撮像画像のデータでも、画像方向を検出できる。
【００４３】
また、映像表示装置１００は、画像又は動画データの画像方向を予め記憶する画像方向記憶部１０４を備え、画像方向検出部１０５は、画像方向記憶部１０４に記憶された画像方向を画像又は動画データの画像方向として検出しても良い。Ｅｘｉｆ（登録商標）情報を含まない画像データや動画データであっても、予め画像方向を記憶しておくことで、画像が正立するように映像表示部１１３を回転させることが可能である。
【００４４】
また、映像表示装置１００は、映像表示部の映像表示を制御する映像制御部１１１を備え、映像制御部１１１は、映像表示部１１３で表示するための画像又は動画データの画像方向に応じて自動回転装置１１６が映像表示部１１３の回転を完了した後、当該画像又は動画データを用いて映像表示部１１３の映像表示を制御する。これにより、映像表示部１１３の回転中に画像が表示されることがなく、表示品位が向上する。
【００４５】
また、自動回転装置１１６及び回転制御部１０６は、映像表示装置１００の他の構成要素とは独立に給電され、回転制御部１０６は、当該他の構成要素を電源オン又は電源オフした後、予め定めた姿勢に映像表示部１１３を回転するよう回転装置を制御しても良い。これにより、例えば広告用画像のスライドショーが終了した時点で映像表示部１１３を元の位置に戻したり、電源オフした際に元の位置に戻したり、電源オンした際に常に所定の位置からスタートする事ができる。
【００４６】
なお、本発明は、その発明の範囲内において、実施の形態を適宜、変形、省略することが可能である。
【符号の説明】
【００４７】
１００  映像表示装置、１０４  画像方向記憶部、１０５  画像方向検出部、１０６  回転制御部、１０７  画像データ入力部、１０８  ＡＶデコーダ、１０９  グラフィックス重畳部、１１０  効果音重畳部、１１１  映像制御部、１１２  音声制御部、１１３  映像表示部、１１４  音声出力部、１１５  通信バス、１１６  自動回転装置、１１７  画像データ。
【図１】
2015207891.tif 000003
【図２】
2015207891.tif 000004
【図３】
2015207891.tif 000005
【図４】
2015207891.tif 000006
【図５】
2015207891.tif 000007
【図６】
2015207891.tif 000008